【事件の表示】
　特許第２７３９６１４号「光記録ディスク」の請求項１ないし４に係る特許に対する特許異議の申立てについて、次のとおり決定する。
【結論】
　訂正を認める。
　特許第２７３９６１４号の請求項１ないし４に係る特許を維持する。
【理由】
（１）手続の経緯
　本件特許第２７３９６１４号に係る発明は、平成３年６月１９日に特許出願され、平成１０年１月２３日にその特許の設定登録がなされ、その後、三菱化学株式会社、佐々木みどりより特許異議の申立てがなされ、ついで取消理由通知がなされ、その指定期間内である平成１１年６月１５日に訂正請求がなされたものである。
（２）訂正の適否についての判断
ア．訂正明細書の請求項１〜４に係る発明
　訂正明細書の請求項１〜４に係る発明（以下、「本件発明１〜４」という。）は、その特許請求の範囲の請求項１〜４に記載された次のとおりのものである。
　請求項１「グルーブを有する基板上に、少なくとも光吸収層および反射層を積層し、グルーブ内を記録トラックとし、プッシュプル法によりトラッキングエラーを検出する光記録ディスクであって、グルーブ部の光吸収層の膜厚をＤＧ、ランド部の光吸収層の膜厚をＤＬ、グルーブの深さをｄＧとし、△Ｄ＝ＤＬ＋ｄＧ−ＤＧ、トラッキングエラー信号が０となるときの△Ｄの値を△Ｄ０としたとき、△Ｄ＞△Ｄ０、△Ｄ＝１．１・△Ｄ０〜１．４・△Ｄ０、１３００Ａ＜ｄＧ≦２５０ＯＡ、ＤＧ＞ＤＬ、ＤＬ＝１０００〜２０００Ａ、前記グルーブの幅ＷＧが０．３５〜０．６μｍ、前記グルーブのピッチＰが１．５〜１．７μｍであることを特徴とする光記録ディスク。」
　請求項２「前記光吸収層の屈折率ｎが２．０〜２９、消衰係数が０．０２〜０．０８である請求項１に記載の光記録ディスク。」
　請求項３「前記光吸収層が色素を含有する塗布膜である請求項１または２に記載の光記録ディスク。」
　請求項４「前記反射層上に、トップコートを積層した請求項１ないし３のいずれかに記載の光記録ディスク。」
イ．訂正の目的の適否、新規事項の有無及び拡張・変更の存否
　特許権者が求めている訂正の内容は次のＡ〜Ｃのとおりである。
　Ａ、特許請求の範囲の請求項１〜４を上記ア．で記載したとおりのものとする訂正。
　Ｂ、特許請求の範囲の訂正に伴い、対応する明細書の記載（【０００７】第２行、【０００８】第１〜最下行、及び【００３０】第１〜４行）を整合させると共に、【０００９】〜【００１２】を削除する訂正。
　Ｃ、明細書の【００１５】第７〜９行、【００２８】第１７〜１８行、【符号の説明】第４行の誤記の訂正。
　上記Ａの特許請求の範囲の訂正は、訂正前の請求項２を同請求項１に合体すると共に（これに伴い、請求項３〜５を請求項２〜４に繰り上げた）、△Ｄ＝１．１・△Ｄ０〜１．４・△Ｄ０、ＤＬ＝１０００〜２０００Ａとする要件を付加したものであって、特許請求の範囲の減縮に該当し、上記Ｂの訂正は、該特許請求の範囲の訂正に伴い明細書の記載を整合させたものであって、明瞭でない記載の釈明に該当し、上記Ｃは誤記の訂正に該当する。そして、上記Ａ〜Ｃのいずれの訂正も新規事項の追加に該当せず、実質上特許請求の範囲を拡張し、又は変更するものでもない。
ウ．独立特許要件の判断
　▲１▼特許法第２９条第２項違反についての判断
（引用刊行物）
　本件発明１〜４に対し、当審が平成１１年４月１日付けで通知した取消理由において引用した刊行物１（特開平３−５４７４４号公報）には、ＣＤ規格に準拠可能かつ変調度の大きな再生信号が得られ、プッシュプル法によるトラッキングエラーの検出の値が良好な光情報記録媒体であって、基板上に色素からなる光吸収層及び金属膜からなる反射層を有し、スパイラル状に設けられたプリグルーブ部分の深さを工夫したものが記載されている。
　同じく刊行物２（特開平３−２２２２４号公報）には、基板上に色素記録層及び反射層を有し、グルーブの形状を工夫したＣＤプレーヤーで再生可能な光情報記録媒体が記載されている。
　同じく刊行物３（特開平２−１３２６５６号公報）には、基板上に光吸収層及び反射層を有し、ＣＤフォーマットに準拠する変調度の出力信号が得られる光情報記録媒体が記載されている。
（対比・判断）
　上記刊行物１〜３には、基板上に光吸収層及び反射層を有するＣＤ規格に対応可能な光記録媒体が記載されているが、本件発明１〜４の構成要件である「△Ｄ＝１．１・△Ｄ０〜１．４・△Ｄ０」とする点については記載も示唆もされていない。
　そして本件発明１〜４は、上記ア．で記載した構成を採用することにより、明細書に記載の顕著な効果を奏するものである。
　してみると、本件発明１〜４は、刊行物１〜３に記載された発明に基づいて当業者が容易に発明をすることができたものではない。
　▲２▼特許法第３６条第４項及び第５項違反についての判断
　当審では、三菱化学株式会社及び佐々木みどりの提出した特許異議申立書の記載を引用して、大略「△Ｄ、△Ｄ０については、物の発明である光ディスクを特定するための構成要件として必要な定義及び説明が十分にされていない。」とする特許法第３６条違反の取消理由を通知した。
　しかしながら、本件特許明細書には、△Ｄ＝ＤＬ＋ｄＧ−ＤＧであること、トラッキングエラー信号が０となるときの△Ｄを△Ｄ０とすることが明記されている。また、△Ｄ０の決定法として、本件特許明細書【００２０】〜【００２７】に△Ｄ０を求めるための計算法が示されており、【００２８】〜【００２９】に該計算法に従って得られたトラッキングエラー信号ＴＥの値をグラフ化して△Ｄ０を求める方法が示されている。
　してみると、当業者ならばこれらの記載に従って格別の困難性無く△Ｄ、△Ｄ０の値を求めることができるものと考えられるから、△Ｄ、△Ｄ０についての定義及び説明が不充分であるとはいえない。
　さらに、異議申立書中に、「△Ｄ０の計算法に光ピックアップのディテクタの条件が入っているにもかかわらず、本件請求項１にこの点の記載がないのは必須要件を欠くものである。」旨の記載があるが、該ディテクタの条件は、△Ｄ０を求めるグラフを作るためトラッキングエラー信号ＴＥの値を計算する過程で使われるものであって、△Ｄ０の定義に直接関係するものではなく、本件発明の必須要件とはいえない。
　したがって、訂正明細書は特許法第３６条第４項及び第５項の規定を満足するものである。
　上記したように、本件発明１〜４に係る特許は、取消理由に示した理由によっては取り消すことができないから、特許出願の際独立して特許を受けることができるものである。
エ．むすび
　以上のとおりであって、上記訂正は、特許法第１２０条の４第２項及び同条第３項で準用する第１２６条第２〜４項の規定に適合するものであるから、当該訂正を認める。
（３）特許異議の申立てについて
ア．本件発明
　本件発明１〜４は、上記（２）ア．に記載したとおりのものである。
イ．申立ての理由の概要
　特許異議申立人三菱化学株式会社は、本件発明１〜４は、甲第１〜３号証に記載された発明であるか、又は、甲第１〜６号証に記載された発明に基づいて当業者が容易に発明をすることができたものであって、特許法第２９条第１項第３号又は同条第２項の規定により特許を受けることができないものであり、さらに、本件特許明細書はその記載に不備があって、特許法第３６条の規定を満たしていないから、本件発明１〜４についての特許は取り消されるべきである旨主張している。
　また、特許異議申立人佐々木みどりは、本件発明１〜４は、甲第１、２号証に記載された発明に基づいて当業者が容易に発明をすることができたものであって、特許法第２９条第２項の規定により特許を受けることができないものであり、さらに、本件特許明細書はその記載に不備があって、特許法第３６条の規定に適合していないから、本件発明１〜４についての特許は取り消されるべきである旨主張している。
ウ．異議申立人の提出した甲各号証の記載
　特許異議申立人三菱化学株式会社が提出した甲第１〜３号証は、上記（２）ウ．▲１▼に示した刊行物１〜３に相当する。同甲第４号証は、「理化学事典」第４版、第３００〜３０１頁の写しであって、吸収係数について記載されており、同甲第５号証及び甲第６号証は、それぞれ「コンパクトディスク読本」改訂第２版、第１６２〜１６５頁及び「光ディスク技術」第８６〜８７頁の写しであって、いずれもプッシュプル法の一般的説明が記載されている。
　また、特許異議申立人佐々木みどりが提出した甲第１号証は、上記（２）ウ．▲１▼に示した刊行物１に相当し、同甲第２号証（特開平２−１３９７３２号公報）には、基板上に光吸収層及び反射層を有し、ＣＤフォーマットに準拠した記録再生が可能な光情報記録媒体が記載されている。
エ・特許法第２９条第１項第３号及び第２項違反についての判断
（三菱化学株式会社の証拠について）
　上記（２）ウ．▲１▼で示したように、甲第１〜３号証（刊行物１〜３）には、本件発明１〜４の構成要件である「△Ｄ−１．１・△Ｄ０〜１．４・△Ｄ０」とする点については記載も示唆もされていない。また、甲第４〜６号証にも上記構成要件について何も記載されていない。
　そして本件発明１〜４は、上記（２）ア．で記載した構成を採用することにより、明細書に記載の顕著な効果を奏するものである。
　してみると、本件発明１〜４は、甲第１〜３号証に記載された発明ではなく、また、甲第１〜６号証記載された発明に基づいて当業者が容易に発明をすることができたものでもない。
（佐々木みどりの証拠について）
　上記（２）ウ．▲１▼で示したように、甲第１号証（刊行物１）には、本件発明１〜４の構成要件である「△Ｄ−１．１・△Ｄ０〜１．４・△Ｄ０」とする点について記載も示唆もされていない。また、甲第２号証にも上記構成要件について何も記載されていない。
　そして本件発明１〜４は、上記（２）ア．で記載した構成を採用することにより、明細書に記載の顕著な効果を奏するものである。
　してみると、本件発明１〜４は、甲第１、２号証に記載された発明に基づいて当業者が容易に発明をすることができたものではない。
オ．特許法第３６条違反についての判断
　両異議申立人より、△Ｄ及び△Ｄ０に関連して、本件特許明細書は特許法第３６条に規定する要件を満たしていない旨の主張がなされているが、上記（２）ウ．▲２▼（第３６条第４項及び第５項違反についての判断）の項で示したように、本件訂正明細書は特許法第３６条第４項及び第５項の規定を満足するものであって、当該主張は当を得ないものである。
カ．むすび
　以上のとおりであるから、特許異議申立ての理由及び証拠によっては、本件発明１〜４に係る特許を取り消すことはできない。
　また、他に本件発明１〜４に係る特許を取り消すべき理由を発見しない。
　よって、結論のとおり決定する。
【異議決定日】
平成１１年７月１５日（１９９９．７．１５）
【訂正の要旨】
訂正の要旨
Ａ、特許請求の範囲の減縮を目的として、請求項１〜４を次のようにする訂正。
　（訂正前の請求項１と請求項２を合体し、請求項３〜５を請求項２〜４に繰り上げた。）
　請求項１「グルーブを有する基板上に、少なくとも光吸収層および反射層を積層し、グルーブ内を記録トラックとし、プッシュプル法によりトラッキングエラーを検出する光記録ディスクであって、グルーブ部の光吸収層の膜厚をＤＧ、ランド部の光吸収層の膜厚をＤＬ、グルーブの深さをｄＧとし、△Ｄ＝ＤＬ＋ｄＧ−ＤＧ、トラッキングエラー信号が０となるときのΔＤの値を△Ｄ０としたとき、△Ｄ＞△Ｄ０、△Ｄ−１．１・△Ｄ０〜１．４・△Ｄ０、１３００Ａ＜ｄＧ≦２５００Ａ、ＤＧ＞ＤＬ、ＤＬ＝１０００〜２０００Ａ、前記グルーブの幅ＷＧが０．３５〜０．６μｍ、前記グルーブのピッチＰが１．５〜１．７μｍであることを特徴とする光記録ディスク。」
　請求項２「前記光吸収層の屈折率ｎが２．０〜２．９、消衰係数が０．０２〜０．０８である請求項１に記載の光記録ディスク。」
　請求項３「前記光吸収層が色素を含有する塗布膜である請求項１または２に記載の光記録ディスク。」
　請求項４「前記反射層上に、トップコートを積層した請求項１ないし３のいずれかに記載の光記録ディスク。」
Ｂ、特許請求の範囲の訂正に伴い、明瞭でない記載の釈明を目的として、対応する明細書の記載（【０００７】第２行、【０００８】第１〜最下行、及び【００３０】第１〜４行）を整合させると共に、【０００９】〜【００１２】を削除する訂正。
Ｃ、明細書の【００１５】第７〜９行、【００２８】第１７〜１８行、及び【符号の説明】第４行の誤記の訂正。
（５４）【発明の名称】
光記録ディスク
（５７）【特許請求の範囲】
　　【請求項１】　グルーブを有する基板上に、少なくとも光吸収層および反射層を積層し、グルーブ内を記録トラックとし、プッシュプル法によりトラッキングエラーを検出する光記録ディスクであって、
　グルーブ部の光吸収層の膜厚をＤＧ、ランド部の光吸収層の膜厚をＤＬ、グルーブの深さをｄＧとし、
　ΔＤ＝ＤＬ−＋ｄＧ−ＤＧ、
　トラッキングエラー信号が０となるときのΔＤの値をΔＤ０としたとき、
　ΔＤ＞ΔＤ０、
ΔＤ＝１．１・ΔＤ０〜１．４・ΔＤ０、
ＤＧ＞ＤＬ、ＤＬ＝１０００〜２０００Å、
　　【請求項２】　前記光吸収層の屈折率ｎが２．０〜２．９、消衰係数が０．０２〜０．０８である請求項１に記載の光記録ディスク。
　　【請求項３】　前記光吸収層が色素を含有する塗布膜である請求項１または２に記載の光記録ディスク。
　　【請求項４】　前記反射層上に、トップコートを積層した請求項１ないし３のいずれかに記載の光記録ディスク。
【発明の詳細な説明】
　　　【０００１】
　　【産業上の利用分野】
　本発明は、光記録ディスクに関する。
　　　【０００２】
　　【従来の技術】
　コンパクトディスク（以下、ＣＤと略称する）規格に対応して追記ないし記録を行うことのできる光記録ディスクが提案されている（日経エレクトロニクス１９８９年１月２３日号，Ｎｏ．４６５，Ｐ１０７、社団法人近畿化学協会機能性色素部会，１９８９年３月３日、大阪科学技術センター、ＳＰＩＥ　ｖｏｌ　１０７８　Ｏｐｔｉｃａｌ　Ｄａｔａ　Ｓｔｏｒａｇｅ　Ｔｏｐｉｃａｌ　Ｍｅｅｔｉｎｇ，８０　１９８９　等）。このものは、透明樹脂基板上に、色素層、Ａｕ反射層および保護膜をこの順に設層して形成される。すなわち、反射層を色素層に密着して設けるものである。
　　　　【０００３】
　このような場合、光吸収層としての色素層は、スピンコートによって形成することが好ましい。また、基板の光吸収層形成面には、トラッキングサーボ用のグルーブを形成することが好ましい。そして、グルーブを有する基板上に、色素層をスピンコ一ト等によって塗布するときには、通常、グルーブの存在の有無に拘らず、色素層表面は平滑に近くなり、グルーブ部の膜厚は、ランド部での膜厚にグルーブ深さを足した値に近くなる。
　　　【０００４】
　他方、このような光記録ディスクのトラッキングサーボを行なうためには、プッシュプル法を採用することが好ましい。プッシュプル法では、ディスク上のグルーブで反射回折された光を、トラック中心に対して対称に配置された２分割ホトディテクタ（２Ｄ−ＰＤ）上の２つの受光部で出力差として取り出すことによって、トラッキングエラーを検出する。
　　　【０００５】
　　【発明が解決しようとする課題】
　しかし、グルーブ部の色素層の膜厚が、ランド部での膜厚とグルーブ深さとを足した値に近づき、色素層表面の凹凸が減少したディスクでは、プッシュプル法でのトラッキングエラー信号が０となり、プッシュプル法のトラッキングサーボが行なえないことが判明した。
　　　【０００６】
　本発明の主たる目的は、色素上に反射層を積層した光記録ディスクにおいて、正常かつ正確なプッシュプルトラッキングエラー信号が得られるようにすることにある。
　　　【０００７】
　　【課題を解決するための手段】
　このような目的は下記（１）〜
（４）
　　　【０００８】
　（１）グルーブを有する基板上に、少なくとも光吸収層および反射層を積層し、グルーブ内を記録トラックとし、プッシュプル法によりトラッキングエラーを検出する光記録ディスクであって、
　グルーブ部の光吸収層の膜厚をＤＧ、ランド部の光吸収層の膜厚をＤＬ、グルーブの深さをｄＧとし、
　ΔＤ＝ＤＬ＋ｄＧ−ＤＧ、
　トラッキングエラー信号が０となるときのΔＤの値をΔＤ０としたとき、
　ΔＤ＞ΔＤ０、
ΔＤ＝１．１・ΔＤ０〜１．４・ΔＤ０、
ＤＧ＞ＤＬ、ＤＬ＝１０００〜２０００Å、
　（２）前記光吸収層の屈折率ｎが２．０〜２．９、消衰係数が０．０２〜０．０８である上記（１）に記載の光記録ディスク。
　（３）前記光吸収層が色素を含有する塗布膜である上記（１）または（２）に記載の光記録ディスク。
　（４）前記反射層上に、トップコートを積層した上記（１）ないし（３）のいずれかに記載の光記録ディスク。
　　　【００１３】
　　【実施例】
　以下、実施例に従い、本発明を詳細に説明する。
　　　【００１４】
　図１には、本発明の実施例が示される。図１に示される光記録ディスク１は、基板３上に光吸収層として色素層２を有する。基板３は、記録光および再生光（６００〜９００ｎｍ程度、特に７００〜８００ｎｍ、とりわけ７８０ｎｍ）に対し、好ましくは８５％以上の透過率を有し、実質的に透明な樹脂やガラス等から形成される。
　　　【００１５】
　基板３の記録層形成面には、トラッキング用のグルーブ３１が、スパイラル状（場合によっては同心円状）に形成されている。グルーブ３１の深さｄＧは１３００Ａより大、２５００Ａ以下、幅ＷＧは０．３５〜０．６μｍであり、グルーブ３１は、幅ＷＬのランド部３５を介し、ＣＤ規格に対応した１．５〜１．７μｍのピッチＰで形成されている。この場合、ｄＧ＞２５００Ａでは、反射率が低下してしまい、ｄＧ≦１３００Ａでは変調度が減少してくる。そして、ｄＧ＝１５００〜２５００Ａとすると変調度はさらに好ましいものとなる。また、ＷＧ＜０．３５μｍ
で
ＷＧ　
　　　【００１６】
　光吸収層としての色素層２は、公知のシアニン色素等の光吸収色素の１種以上を含む色素ないし色素組成物の塗布膜である。この場合、光吸収層としては、塗布膜であれば他の材質のものであってよい。
　　　【００１７】
　色素層２の上には、Ａｕ等の反射層４が設けられる。この反射層４は、単独で９０％以上の反射率を示すことが好ましい。そして、反射層４上には、保護層として、各種樹脂製のトップコート５が設けられている。なお、基板３と色素層２との間や、色素層２と反射層４との間等には、中間層が設けられていてもよい。
　　　【００１８】
　このような構成において、グルーブ３１内を記録トラックとして、記録および再生を行なう。そして、色素層２の表面には、基板３に形成されたグルーブ３１およびランド部３５に対応して、凹凸が形成されている。
　　　【００１９】
　この結果、グルーブ３１部（厳密には、グルーブ中心位置）の色素膜の膜厚をＤＧ、ランド部３５（厳密にはランド部中心位置）の色素膜の膜厚をＤＬとしたとき、ＤＬ＋ｄＧ＞ＤＧの関係を有しており、ΔＤ＝ＤＬ＋ｄＧ−ＤＧとしたとき、ΔＤ＞０である。しかも、この際、ΔＤは、所定値のΔＤ０より大きなものに設定される。そして、このΔＤ０は、プッシュプルトラッキングエラー信号が０となる膜厚差ＤＬ＋ｄＧ−ＤＧである。
　　　　【００２０】
　そこで、このΔＤ０の計算法について説明する。まず、記録光および再生光としての使用レーザ波長をλ、各層の膜厚を、図２に示されるように、Ｄ１（色素層）、Ｄ２（Ａｕ）、Ｄ３（トップコート）とし、各層の屈折率ｎおよび消衰係数ｋを（ｎｉ．ｋｉ）とすると、反射率Ｒは下記のように表される。
　　　【００２１】
　Ｒ　＝｜Ｒ０｜２
　Ｒ０＝［ρ０１＋ｒ１　ｅｘｐ（ｊγ１）］／［１＋ρ０１ｒ１　ｅｘｐ（ｊγ１）］
　ｒ１＝［ρ１２＋ｒ２　ｅｘｐ（ｊγ２）］／［１＋ρ１２ｒ２　ｅｘｐ（ｊγ２）］
　ｒ２＝［ρ２３＋ｒ３　ｅｘｐ（ｊγ３）］／［１＋ρ２３ｒ３　ｅｘｐ（ｊγ３）］
　γｉ＝（４π／λ）Ｄｉ　（ｎｉ＋ｊｋｉ）
　ηｉ＝ｎｉ＋ｊｋｉ
　ρｉｊ＝（ηｉ−ηｊ）／（ηｉ＋ηｊ）
　　　【００２２】
　次に、図３に即し、トラッキングエラー信号の計算を行なう。図３において、グルーブ３１を記録トラックとする。この際、入射ビームは、レンズ７を通して、焦点距離Ｆにてディスクの色素層２に照射される。そして、その反射ビームは、レンズ７をとおして、プッシュプル型のディテクタ６のフォトダイオード６１、６２の入射面Ｗｌ、Ｗ２に入射する。ディスクのグルーブ底面を（ξ，η）面とすると、レーザ光の（ξ，η）面振幅分布Ｂ（ξ，η）は、下記で表される。
　　　【００２３】
　【数１】
　　　【００２４】
　ディテクタ６の入射面Ｗｌ、Ｗ２を（ｕ，ｖ）面とし、（ｕ，ｖ）面の反射ビームパワーをＵ（ｕ，ｖ）、Ｗｌ、Ｗ２面領域の反射ビームパワーをＵｌ、Ｕ２、入射ビームパワーをＩ０とすると、プッシュプルトラッキングエラー信号ＴＥは、下記で与えられる。
　　　【００２５】
　ＴＥ＝（Ｕｌ−Ｕ２）／Ｉ０
　　　【００２６】
　【数２】
　　　【００２７】
　従って、上記において、実際のＤ１、（ｎ１，ｋ１）やその他の数値を代入し、Δを変化させることにより、最大のトラッキングエラー信号ＴＥを求めれば、実際のＴＥが計算できることになる。
　　　【００２８】
　図４および図５には、最大トラッキングエラー信号の相対値の計算結果が、相対トラッキング信号として示される。これらは、
　基板３の（ｎ０，ｋ０）＝（１．５８，０）、
　色素層２の（ｎ１，ｋ１）＝（２．４，０．０４）、
　反射層４の（ｎ２，ｋ２）＝（４．７，０．１５９）、
　反射層４のＤ２＝１０００Ａ、
　トップコートの（ｎ３，ｋ３）＝（１．５，０）、
　トップコートのＤ３＝５μｍ、
　λ＝７８０ｎｍ、
　グルーブのＷＧ＝０．４μｍ、
　ｄＧ＝１６００Ａ、
　Ｐ＝１．６μｍ、
　レンズ７のＮＡ０．４７、Ｆ＝４．３ｍｍ．Ｂ＝５ｍｍとしたものである。そして、図４では、ランド部３５の色素層２の膜厚ＤＬを１２００Ａとし、また図５ではＤＬを１４００Ａとし、グルーブ３１内の色素層２の膜厚ＤＧを変化させたものである。
　さらに、図６には、上記において、
　色素層２の（ｎ１，ｋ１）＝（２．１，０．０２）、
　ＷＧ＝０．４５μｍ、
　ｄｇ＝２１００Ａ、
　ＤＬ＝１８００Ａにかえ、グルーブ３１内の色素層との膜厚ＤＧを変化させたものである。
　　　【００２９】
　これらの両図から明らかなように、図４ではΔＤＬ＝Ｄ２＋ｄＧ−ＤＧ＝１２００＋１６００−２２７０＝５３０Ａにてトラッキングエラー信号がそれぞれ０となり、また、図５ではΔＤ０＝１４００＋１６００−２３６０＝６４０Ａにて、さらには図６ではΔＤ０＝１８００＋２１００−３３００＝６００Ａにて、トラッキングエラー信号が０となり、それよりΔＤが小さくなると、トラッキングエラー信号は負の値となる。負のトラッキングエラー信号は、光ピックアップの制御が通常用いられている極性と逆となり、通常の装置ではグルーブにトラッキングされなくなるので、本発明ではΔＤ＞ΔＤ０として、正確なトラッキングエラー信号を得ようとするものである。
　　　【００３０】
　このような場合、
ΔＤは１．１・ΔＤ０〜１．４ΔＤ０となると、
ＤＬは１０００〜２０００Ａ、特に１３００〜２０００Ａであると
　　　【００３１】
　さらに、ＤＧは１８００〜３２００Ａ、特に２１００〜３２００Ａであることが好ましい。ＤＧが小さいと変調度が小さくなり、またＤＧが大きすぎると反射率が低下する。なお、感度、変調度、再生Ｓ／Ｎ等の点で、色素層２のｎ１は、２．０〜２．９、ｋ１は０．０２〜０．０８であることが好ましい。
　　　【００３２】
　なお、（ｎ１，ｋ１）＝（２．４，０．０４）および（２．１，０．０２）のシアニン色素を用い、これをスピンコート条件を種々変えて、図４、図５、図６のＤＧ、ＤＬにて塗設し、実際にプッシュプルトラッキングエラー信号を測定したところ、図４、図５、図６の結果とほぼ完全に一致した。
　　　【００３３】
　　【効果】
　本発明によれば、光吸収層に反射層を積層して、プッシュプル法でトラッキングサーボを行なう場合、正常なトラッキングエラー信号が得られる。
【図面の簡単な説明】
　　【図１】
　本発明の光記録ディスクを示す部分断面図である。
　　【図２】
　本発明の光記録ディスクの光学定数を説明するための模式図である。
　　【図３】
　本発明において、プッシュプル法によってトラッキングエラー信号を得るための構成を示す模式図である。
　　【図４】
　トラッキングエラー信号とグルーブ部の光吸収層としての色素層の膜厚との関係を示すグラフである。
　　【図５】
　トラッキングエラー信号とグルーブ部の光吸収層としての色素層の膜厚との関係を示すグラフである。
　　【図６】
　トラッキングエラー信号とグルーブ部の光吸収層としての色素層の膜厚との関係を示すグラフである。
　　【符号の説明】
　１　光記録ディスク
　２　色素層
　３　基板
　
３１　グルーブ
　３５　ランド部
　４　反射層
　５　トップコート
　６　ディテクタ
　７　レンズ